(57)【要約】【課題】  ユーザの利用目的に応じた急冷機能を実行する冷蔵庫を提供することを目的とする。【解決手段】  冷蔵庫１００は上段冷凍室２０３を有し、この上段冷凍室２０３の天面に急冷ファン３１６が設けられている。冷蔵庫１００は、ユーザによって設定された急冷時間に基づいて、急冷ファン３１６を用いた急冷機能を実行する。更に冷蔵庫１００は、急冷機能の実行中に上段冷凍室２０３の扉が開けられた場合に、急冷ファン３１６の回転を停止する。【選択図】  図７
2020125883.tif 000002
【特許請求の範囲】
【請求項１】
少なくとも一つの貯蔵室を有する冷蔵庫であって、
前記貯蔵室の天面に設けられている、冷気を吐出するための急冷ファンと、
ユーザによって設定された急冷時間に基づいて、前記急冷ファンを用いた急冷機能を実行する制御手段とを備え、
前記急冷機能の実行中に前記貯蔵室の扉が開けられた場合に、前記制御手段は、前記急冷ファンの回転を停止することを特徴とする冷蔵庫。
【請求項２】
前記制御手段は、前記急冷機能の実行中に前記貯蔵室とは異なる他の貯蔵室の扉が開けられた場合にも、前記急冷ファンの回転を停止することを特徴とする請求項１に記載の冷蔵庫。
【請求項３】
前記制御手段は、開けられた扉が閉じられた際に、前記急冷ファンの回転を再開することを特徴とする請求項１又は２に記載の冷蔵庫。
【請求項４】
前記貯蔵室の背面に、冷凍室ダクトから冷気が供給される吐出口が設けられていて、
前記貯蔵室の天面に、前記吐出口から吐出される冷気を前記急冷ファンに導くための冷気風路が設けられていることを特徴とする請求項１から３のいずれか１項に記載の冷蔵庫。
【請求項５】
複数の候補の中からユーザが選択した時間が前記急冷時間として設定されることを特徴とする請求項１から４のいずれか１項に記載の冷蔵庫。
【請求項６】
前記急冷機能は、前記急冷機能が完了するまで前記急冷ファンが停止することなく回転を継続する第１のモードと、前記急冷機能が完了するまでに前記急冷ファンが停止する期間が発生する第２のモードとのいずれかで動作するものであり、
前記複数の候補のそれぞれは、前記第１のモードと前記第２のモードのいずれかに対応付けられていることを特徴とする請求項５に記載の冷蔵庫。
【請求項７】
前記複数の候補のうち最短の時間が前記第２のモードに対応し、残りの候補が前記第１のモードに対応することを特徴とする請求項６に記載の冷蔵庫。
【請求項８】
前記冷蔵庫の最上部に冷蔵室が設けられ、
前記冷蔵室の下方に、製氷室と前記貯蔵室が横並びに設けられていることを特徴とする請求項１から７のいずれか１項に記載の冷蔵庫。
【請求項９】
前記貯蔵室は冷凍温度帯に維持されることを特徴とする請求項１から８のいずれか１項に記載の冷蔵庫。
【発明の詳細な説明】
【技術分野】
【０００１】
本発明は冷蔵庫に関する。
【背景技術】
【０００２】
特許文献１には、高温の食品が収納室に収納されたことを検知した冷蔵庫が、当該食品の冷却を自動的に開始する構成が開示されている。
【先行技術文献】
【特許文献】
【０００３】
【特許文献１】特開２０１０−０２５５３２号公報
【発明の概要】
【発明が解決しようとする課題】
【０００４】
特許文献１に開示されているような冷蔵庫の急冷機能によって、ユーザは、高温の食品を冷却することができる。しかしながら、冷蔵庫の急冷機能をユーザが利用する目的は様々である。例えば、食品を冷凍保存したいケースや、加熱調理後の食品のあら熱を取りたいケースが考えられる。従来の冷蔵庫では、このような様々な利用目的に対応することができなかった。
【０００５】
そこで本発明は、ユーザの利用目的に応じた急冷機能を実行する冷蔵庫を提供することを目的とする。
【課題を解決するための手段】
【０００６】
上述した課題を解決するために、本発明が提供する冷蔵庫は、少なくとも一つの貯蔵室を有する冷蔵庫であって、前記貯蔵室の天面に設けられている、冷気を吐出するための急冷ファンと、ユーザによって設定された急冷時間に基づいて、前記急冷ファンを用いた急冷機能を実行する制御手段とを備え、前記急冷機能の実行中に前記貯蔵室の扉が開けられた場合に、前記制御手段は、前記急冷ファンの回転を停止することを特徴とする。
【発明の効果】
【０００７】
本発明によれば、ユーザの利用目的に応じた急冷機能を実行する冷蔵庫を提供できる。
【図面の簡単な説明】
【０００８】
【図１】システムの概要を示す図である。
【図２】冷蔵庫１００の外観図である。
【図３】冷蔵庫１００の縦断面図である。
【図４】製氷室２０２と上段冷凍室２０３を説明する図である。
【図５】上段冷凍室２０３を説明する図である。
【図６】操作パネル６００を示す図である。
【図７】冷蔵庫１００が実行する処理を示すフローチャートである。
【図８】冷蔵庫１００が実行する処理を示すフローチャートである。
【図９】冷蔵庫１００が実行する処理を示すフローチャートである。
【発明を実施するための形態】
【０００９】
以下、本発明の実施形態について、図面を用いて説明する。なお、以下の実施形態は特許請求の範囲に係る発明を限定するものでなく、また実施形態で説明されている特徴の組み合わせの全てが発明の解決手段に必須のものとは限らない。
（実施形態１）
図１は、本実施形態のシステムの概要を説明する図である。通信装置１１０は、例えばスマートフォンやタブレット端末である。通信装置１１０は、アクセスポイント１２０との間で無線ＬＡＮ接続を確立し、インターネット等のネットワーク上のサーバ１３０と通信する。また、冷蔵庫１００も、アクセスポイント１２０との間で無線ＬＡＮ接続を確立し、ネットワーク上のサーバ１３０と通信する。
【００１０】
図２は、冷蔵庫１００の外観図である。冷蔵庫１００は、複数の貯蔵室、具体的には冷蔵室２０１、製氷室２０２、上段冷凍室２０３、下段冷凍室２０４、野菜室２０５を備える。冷蔵室２０１は、冷蔵温度帯（３℃〜６℃）に維持される。野菜室２０５は、冷蔵室２０１よりやや高温の温度帯（３℃〜８℃）に維持される。上段冷凍室２０３と下段冷凍室２０４は、冷凍温度帯（−２０℃〜−１８℃）に維持される。また、冷蔵室２０１の内部には、パーシャル温度帯（−３℃〜−１℃）とチルド温度帯（０℃〜２℃）とを切り替え可能な切替室３１０が設けられている。冷蔵室２０１を閉塞する扉は、観音開き式の扉である。また、製氷室２０２、上段冷凍室２０３、下段冷凍室２０４、野菜室２０５のそれぞれを閉塞する扉は、引き出し式の扉である。
【００１１】
次に図３を用いて、冷蔵庫１００の風路構成を説明する。図３は、冷蔵庫１００の縦断面図であり、図３の左側が冷蔵庫１００の正面側に対応し、図３の右側が冷蔵庫１００の背面側に対応する。
【００１２】
冷蔵庫１００の上部、かつ、冷蔵庫１００の背面側に、圧縮機３０１が設けられている。また、下段冷凍室２０４の背後に、冷却器３０３、冷却ファン３０４、除霜ヒータ３０５とを少なくとも有する冷却室３０２が設けられている。冷蔵室２０１と、製氷室２０２、及び、上段冷凍室２０３とを仕切る仕切板３０６には、冷蔵室ダンパと切替室ダンパとで構成されるツインダンパが設けられている。冷却器３０３が生成した冷気の一部は、冷蔵室ダンパを介して冷蔵室ダクト３０７に供給される。そして吐出口３０８と吐出口３０９を介して、冷蔵室ダクト３０７から冷蔵室２０１に冷気が供給される。また、冷却器３０３が生成した冷気の一部は、切替室ダンパを介して切替室ダクトに供給され、吐出口を介して切替室ダクトから切替室３１０に冷気が供給される。冷蔵室２０１と切替室３１０にはそれぞれ温度センサが設けられていて、これらの温度センサが検知した温度に基づいて冷蔵室ダンパと切替室ダンパの開閉動作が制御される。
【００１３】
また、冷却器３０３が生成した冷気の一部は、野菜室ダクトに供給される。野菜室ダクトには野菜室ダンパが設けられていて、当該野菜室ダンパを介して野菜室２０５に冷気が供給される。野菜室２０５には温度センサが設けられていて、この温度センサが検知した温度に基づいて野菜室ダンパの開閉動作が制御される。
【００１４】
また、冷却器３０３が生成した冷気の一部は、冷凍室ダクト３１１に供給される。そして吐出口３１２と吐出口３１３を介して、冷凍室ダクト３１１から下段冷凍室２０４に冷気が供給される。また、冷凍室ダクト３１１の上部、かつ、上段冷凍室２０３の背面に、吐出口３１４が設けられている。吐出口３１４から吐出した冷気は、製氷室２０２と上段冷凍室２０３に供給される。上段冷凍室２０３の天面には、後述するダクトカバー４０１がビスを用いて取り付けられていて、このダクトカバー４０１によって冷気風路３１５が形成されている。また、ダクトカバー４０１の前方には急冷ファン３１６が設けられていて、吐出口３１４から上段冷凍室２０３に供給された冷気は冷気風路３１５によって急冷ファン３１６に導かれる。なお、ダクトカバー４０１を上段冷凍室２０３の天面に取り付ける方法はビスに限らず、溶接等の他の方法を用いても良い。
【００１５】
次に上段冷凍室２０３について、図４と図５を用いて詳しく説明する。図４は、製氷室
２０２と上段冷凍室２０３を上から見た図である。図５は上段冷凍室２０３の縦断面図である。図５の左側が冷蔵庫１００の正面側に対応し、図５の右側が冷蔵庫１００の背面側に対応する。
【００１６】
上段冷凍室２０３の天面にダクトカバー４０１が取り付けられていて、ダクトカバー４０１と上段冷凍室２０３の天面との間の空間に冷気風路３１５が形成されている。吐出口３１４から吐出した冷気の一部は、矢印４０２が示すように製氷室２０２に供給され、吐出口３１４から吐出した冷気の一部は、矢印４０３が示すように冷気風路３１５に供給される。
【００１７】
冷気風路３１５の前方には急冷ファン３１６が設けられている。急冷ファン３１６が回転を開始すると、吐出口３１４から吐出した冷気の多くが冷気風路３１５に沿って急冷ファン３１６に集中する。そして急冷ファン３１６によって、急冷ファン３１６から鉛直下向きに冷気が吐出される。この冷気は冷凍温度帯の冷気であり、ユーザが急冷ファン３１６の直下に食品を置くことで、この食品を急速に冷却できる。以降の説明では、急冷ファン３１６を用いて急速に冷却する機能のことを急冷機能と呼ぶ場合がある。
【００１８】
また、図５に示すように、上段冷凍室２０３の天面のうち急冷ファン３１６に対向する部分は上向きに凹む形状である。この形状により、急冷ファン３１６と上段冷凍室２０３の天面との間に空間５０１が形成されている。この空間５０１によって、抵抗が少ない状態で冷気が急冷ファン３１６に導かれる。
【００１９】
急冷ファン３１６が回転を開始すると、吐出口３１４から吐出した冷気が急冷ファン３１６に集中し、製氷室２０２に供給される冷気の量が減る。従って、製氷室２０２に冷気を集中させることで通常時よりも急速に製氷する機能は、急冷機能を実行している間は利用できなくなる。以降の説明では、通常時よりも急速に製氷する機能のことを急速製氷機能と呼ぶ場合がある。また、急冷機能を実行中に急速製氷機能を開始すると、急冷機能は中止される。
【００２０】
ダクトカバー４０１には吐出口４０４が設けられている。吐出口４０４は吐出口３１４に近い位置に設けられている。急冷ファン３１６が停止している場合、冷気風路３１５に供給された冷気は吐出口４０４から上段冷凍室２０３に供給される。吐出口４０４から上段冷凍室２０３に吐出される冷気は、ダクトカバー４０１の表面に沿って流れる。これにより、ダクトカバー４０１に発生した霜を除去することができる。
【００２１】
図６の操作パネル６００は、冷蔵室２０１の庫内に設けられている。ユーザは、この操作パネル６００を用いて、冷蔵庫１００の貯蔵室の温度設定を変更したり、製氷機能に関する設定を行ったり、急冷機能を実行させる指示を冷蔵庫１００に入力する。急速製氷ボタン６０６をユーザが押すと、冷蔵庫１００は急速製氷機能を開始する。
【００２２】
ユーザは自身の利用目的に応じて、「冷ます」、「急冷」、「急凍」のいずれかに対応する時間で急冷機能を利用することができる。ユーザが急冷ボタン６０１を押すと、「冷ます」に対応するＬＥＤ６０２が点灯し、急冷機能を実行する時間を示す急冷時間として「５分」が表示部６０５に表示される。更に、表示部６０５に「５分」が表示されている状態でユーザが急冷ボタン６０１を押すと、ＬＥＤ６０２が消灯し、「急冷」に対応するＬＥＤ６０３が点灯する。そして急冷時間として「１０分」が表示部６０５に表示される。更に、表示部６０５に「１０分」が表示されている状態でユーザが急冷ボタン６０１を押すと、「急冷」に対応するＬＥＤ６０３が点灯したまま、急冷時間として「１５分」が表示部６０５に表示される。更に、表示部６０５に「１５分」が表示されている状態でユーザが急冷ボタン６０１を押すと、ＬＥＤ６０３が消灯し、「急凍」に対応するＬＥＤ６
０４が点灯する。そして急冷時間として「４５分」が表示部６０５に表示される。更に、表示部６０５に「４５分」が表示されている状態でユーザが急冷ボタン６０１を押すと、「急凍」に対応するＬＥＤ６０４が点灯したまま、急冷時間として「６０分」が表示部６０５に表示される。更に、表示部６０５に「６０分」が表示されている状態でユーザが急冷ボタン６０１を押すと、ＬＥＤ６０４が消灯し、表示部６０５による急冷時間の表示が終了する。表示部６０５が急冷時間を表示していない状態は、冷蔵庫１００が急冷機能を実行しないことを示す。
【００２３】
操作パネル６００を用いることで、ユーザは、冷蔵庫１００の急冷機能を利用する時間として、自身の利用目的に応じた所望の時間を設定できる。具体的には、「冷ます」に対応する５分、「急冷」に対応する１０分と１５分、「急凍」に対応する４５分と６０分の５つの候補の中から所望の時間を設定できる。例えば加熱調理後の食品のあら熱を取りたい場合、ユーザは「冷ます」に対応する５分を選択すれば良い。また、従来は冷蔵室の庫内である程度時間をかけて冷却させていた食品の冷却について、この冷却に要する時間を短縮させたい場合は、ユーザは「急冷」に対応する１０分又は１５分を選択すれば良い。また、米や肉等の食品を冷凍保存したい場合は、ユーザは「急凍」に対応する４５分又は６０分を選択すれば良い。
【００２４】
次に図７のフローチャートを用いて、冷蔵庫１００が急冷機能を実行する際の処理を説明する。冷蔵庫１００はＣＰＵ、ＲＯＭ、ＲＡＭ等で構成される制御基板を備えている。図７のフローチャートに示す各ステップは、ＲＯＭに記憶されているプログラムをＣＰＵがＲＡＭに展開して実行することによって実現される。
【００２５】
まずステップ７０１において、冷蔵庫１００は、急冷機能を開始するか否かを判定する。本実施形態では、操作パネル６００の表示部６０５に急冷時間が表示された状態で上段冷凍室２０３の扉が閉じられると、冷蔵庫１００は急冷機能を開始すると判定する。なお、上段冷凍室２０３の扉が閉じられることを条件としないで、ユーザが「冷ます」、「急冷」、「急凍」のいずれかを操作パネル６００で選択したタイミングで冷蔵庫１００が急冷機能を開始すると判定しても良い。
【００２６】
また、本実施形態では、ユーザは、通信装置１１０から冷蔵庫１００に対して急冷機能の開始を指示することができる。ユーザは、例えば通信装置１１０にインストールされている冷蔵庫アプリケーションを用いて、急冷時間の指定と、急冷機能の開始指示とを通信装置１１０に入力する。通信装置１１０は、急冷時間の指定と急冷機能の開始指示とをアクセスポイント１２０を介してサーバ１３０に送信する。そしてサーバ１３０は、急冷時間の指定と急冷機能の開始指示とを、アクセスポイント１２０を介して冷蔵庫１００に送信する。急冷時間の指定と急冷機能の開始指示とを冷蔵庫１００がサーバ１３０から受信した場合にも、冷蔵庫１００は急冷機能を開始すると判定する。
【００２７】
急冷機能を開始するとステップ７０１において冷蔵庫１００が判定すると、処理はステップ７０２に進む。そしてステップ７０２において、冷蔵庫１００は急冷機能を開始する。具体的に説明すると、冷蔵庫１００はユーザに指定された急冷時間を特定し、急冷ファン３１６の回転を開始する。このとき冷蔵庫１００は、冷却ファン３０４の回転数を通常よりも少なくし、更に、冷蔵室ダンパと切替室ダンパと野菜室ダンパとをすべて閉じ、更に、圧縮機３０１の回転数を増やす。これらの制御によって、急冷ファン３１６に冷気が集中しやすくなり、急冷機能による冷却効率が向上する。表示部６０５には、急冷時間の残り時間が表示される。なお、急速製氷機能を実行中に冷蔵庫１００が急冷機能を開始すると、冷気が急冷ファン３１６に集中するため、急速製氷機能は中止される。
【００２８】
次にステップ７０３において、冷蔵庫１００は、実行中の急冷機能を中止するか否かを
判定する。冷蔵庫１００は、冷蔵庫１００が急速製氷機能を開始する場合、又は、操作パネル６００で所定の中止操作が入力された場合、又は、通信装置１１０が送信した中止指示をサーバ１３０経由で冷蔵庫１００が受信した場合に、急冷機能を中止すると判定する。急冷機能を中止すると冷蔵庫１００が判定すると、処理はステップ７０６に進む。一方、急冷機能を中止しないと冷蔵庫１００が判定すると、処理はステップ７０４に進む。
【００２９】
次にステップ７０４について説明する。ステップ７０４において、冷蔵庫１００は、ステップ７０２で急冷ファン３１６の回転を開始してから経過した時間（以降の説明ではこの時間のことを経過時間と呼ぶ場合がある）が、ステップ７０２で特定した急冷時間に達したか否かを判定する。経過時間がステップ７０２で特定した急冷時間に達したと冷蔵庫１００が判定すると、処理はステップ７０５に進む。一方、経過時間がステップ７０２で特定した急冷時間に達していない場合、処理はステップ７０３に戻る。
【００３０】
次にステップ７０５について説明する。ステップ７０５において、冷蔵庫１００は急冷機能を完了する。具体的に説明すると、冷蔵庫１００は急冷ファン３１６の回転を停止し、更に急冷機能が完了したことを示す音声メッセージや所定のメロディーを流すことで急冷機能が完了したことをユーザに通知する。このとき冷蔵庫１００は、冷却ファン３０４の回転数を通常の回転数に戻し、冷蔵室ダンパと切替室ダンパと野菜室ダンパとの制御を通常の制御に戻し、圧縮機３０１の回転数を通常の回転数に戻す。
【００３１】
次にステップ７０６について説明する。ステップ７０６において、冷蔵庫１００は急冷機能を中止する。具体的に説明すると、冷蔵庫１００は急冷ファン３１６の回転を停止し、更に急冷機能が中止されたことを示す音声メッセージを流すことで急冷機能が中止されたことをユーザに通知する。また、冷蔵庫１００は、冷却ファン３０４の回転数を通常の回転数に戻し、冷蔵室ダンパと切替室ダンパと野菜室ダンパとの制御を通常の制御に戻し、圧縮機３０１の回転数を通常の回転数に戻す。
【００３２】
以上の説明の通り、ユーザは、「冷ます」、「急冷」、「急凍」に対応する複数の候補の中から、急冷機能の利用目的に応じて所望の急冷時間を指定できる。
（実施形態２）
本実施形態では、急冷機能においてユーザが「冷ます」を指定した場合に急冷ファン３１６の制御を変更する例を説明する。冷蔵庫１００の構成は実施形態１と同様であり、図１から図６で説明した構成と同様である。
【００３３】
図８、図９のフローチャートを用いて、冷蔵庫１００が急冷機能を実行する際の処理を説明する。冷蔵庫１００はＣＰＵ、ＲＯＭ、ＲＡＭ等で構成される制御基板を備えている。図８、図９のフローチャートに示す各ステップは、ＲＯＭに記憶されているプログラムをＣＰＵがＲＡＭに展開して実行することによって実現される。
【００３４】
まずステップ８０１において、冷蔵庫１００は、急冷機能を開始するか否かを判定する。操作パネル６００の表示部６０５に急冷時間が表示された状態で上段冷凍室２０３の扉が閉じられると、冷蔵庫１００は急冷機能を開始すると判定する。また、急冷時間の指定と急冷機能の開始指示とを冷蔵庫１００がサーバ１３０から受信した場合にも、冷蔵庫１００は急冷機能を開始すると判定する。
【００３５】
急冷機能を開始するとステップ８０１において冷蔵庫１００が判定すると、処理はステップ８０２に進む。ステップ８０２において、冷蔵庫１００は、急冷機能の急冷モードが「冷ます」であるか否かを判定する。ユーザが「冷ます」を指定していれば、急冷モードが「冷ます」であると冷蔵庫１００が判定し、処理は図９のステップ９０１に進む。一方、ユーザが「急冷」又は「急凍」を指定していれば、急冷モードが「冷ます」ではないと
冷蔵庫１００が判定し、処理はステップ８０３に進む。
【００３６】
ユーザが「急冷」又は「急凍」を指定している場合の処理を説明する。ステップ８０３において、冷蔵庫１００は急冷機能を開始する。具体的に説明すると、冷蔵庫１００はユーザに指定された急冷時間を特定し、急冷ファン３１６の回転を開始する。このとき冷蔵庫１００は、冷却ファン３０４の回転数を通常よりも少なくし、更に、冷蔵室ダンパと切替室ダンパと野菜室ダンパとをすべて閉じ、更に、圧縮機３０１の回転数を増やす。これらの制御によって、急冷ファン３１６に冷気が集中しやすくなり、急冷機能による冷却効率が向上する。
【００３７】
次にステップ８０４において、冷蔵庫１００は、実行中の急冷機能を中止するか否かを判定する。冷蔵庫１００は、冷蔵庫１００が急速製氷機能を開始する場合、又は、操作パネル６００で所定の中止操作が入力された場合、又は、通信装置１１０が送信した中止指示をサーバ１３０経由で冷蔵庫１００が受信した場合に、急冷機能を中止すると判定する。急冷機能を中止すると冷蔵庫１００が判定すると、処理はステップ８０７に進む。一方、急冷機能を中止しないと冷蔵庫１００が判定すると、処理はステップ８０５に進む。
【００３８】
次にステップ８０５について説明する。ステップ８０５において、冷蔵庫１００は、ステップ８０３で急冷ファン３１６の回転を開始してから経過した時間（以降の説明ではこの時間のことを経過時間と呼ぶ場合がある）が、ステップ８０３で特定した急冷時間に達したか否かを判定する。経過時間がステップ８０３で特定した急冷時間に達したと冷蔵庫１００が判定すると、処理はステップ８０６に進む。一方、経過時間がステップ８０３で特定した急冷時間に達していない場合、処理はステップ８０４に戻る。
【００３９】
次にステップ８０６について説明する。ステップ８０６において、冷蔵庫１００は急冷機能を完了する。具体的に説明すると、冷蔵庫１００は急冷ファン３１６の回転を停止し、更に急冷機能が完了したことを示す音声メッセージや所定のメロディーを流すことで急冷機能が完了したことをユーザに通知する。このとき冷蔵庫１００は、冷却ファン３０４の回転数を通常の回転数に戻し、冷蔵室ダンパと切替室ダンパと野菜室ダンパとの制御を通常の制御に戻し、圧縮機３０１の回転数を通常の回転数に戻す。
【００４０】
次にステップ８０７について説明する。ステップ８０７において、冷蔵庫１００は急冷機能を中止する。具体的に説明すると、冷蔵庫１００は急冷ファン３１６の回転を停止し、更に急冷機能が中止されたことを示す音声メッセージを流すことで急冷機能が中止されたことをユーザに通知する。また、冷蔵庫１００は、冷却ファン３０４の回転数を通常の回転数に戻し、冷蔵室ダンパと切替室ダンパと野菜室ダンパとの制御を通常の制御に戻し、圧縮機３０１の回転数を通常の回転数に戻す。
【００４１】
次にユーザが「冷ます」を指定している場合の処理を説明する。図９のステップ９０１において、冷蔵庫１００は急冷機能を開始する。具体的に説明すると、冷蔵庫１００はユーザに指定された急冷時間を特定し、急冷ファン３１６の回転を開始する。このとき冷蔵庫１００は、冷却ファン３０４の回転数を通常よりも少なくし、更に、冷蔵室ダンパと切替室ダンパと野菜室ダンパとをすべて閉じ、更に、圧縮機３０１の回転数を増やす。これらの制御によって、急冷ファン３１６に冷気が集中しやすくなり、急冷機能による冷却効率が向上する。
【００４２】
次にステップ９０２において、冷蔵庫１００は、実行中の急冷機能を中止するか否かを判定する。急冷機能を中止すると冷蔵庫１００が判定すると、処理はステップ９１１に進む。一方、急冷機能を中止しないと冷蔵庫１００が判定すると、処理はステップ９０３に進む。
【００４３】
次にステップ９０３において、冷蔵庫１００は、ステップ９０１で急冷ファン３１６の回転を開始してから経過した時間（以降の説明ではこの時間のことを経過時間と呼ぶ場合がある）がＴ１に達したか否かを判定する。Ｔ１は例えば１分である。経過時間がＴ１に達したと冷蔵庫１００が判定すると、処理はステップ９０４に進む。一方、経過時間がＴ１に達していない場合、処理はステップ９０２に戻る。
【００４４】
次にステップ９０４について説明する。ステップ９０４において、冷蔵庫１００は、急冷ファン３１６の回転を停止する。
【００４５】
次にステップ９０５において、冷蔵庫１００は、実行中の急冷機能を中止するか否かを判定する。急冷機能を中止すると冷蔵庫１００が判定すると、処理はステップ９１１に進む。一方、急冷機能を中止しないと冷蔵庫１００が判定すると、処理はステップ９０６に進む。
【００４６】
次にステップ９０６において、冷蔵庫１００は、経過時間がＴ２に達したか否かを判定する。Ｔ２は例えば４分である。経過時間がＴ２に達したと冷蔵庫１００が判定すると、処理はステップ９０７に進む。一方、経過時間がＴ２に達していない場合、処理はステップ９０５に戻る。
【００４７】
次にステップ９０７について説明する。ステップ９０７において、冷蔵庫１００は、停止していた急冷ファン３１６の回転を再開する。
【００４８】
次にステップ９０８において、冷蔵庫１００は、実行中の急冷機能を中止するか否かを判定する。急冷機能を中止すると冷蔵庫１００が判定すると、処理はステップ９１１に進む。一方、急冷機能を中止しないと冷蔵庫１００が判定すると、処理はステップ９０９に進む。
【００４９】
次にステップ９０９において、冷蔵庫１００は、経過時間が、ステップ９０１で特定した急冷時間に達したか否かを判定する。経過時間がステップ９０１で特定した急冷時間に達したと冷蔵庫１００が判定すると、処理はステップ９１０に進む。一方、経過時間がステップ９０１で特定した急冷時間に達していない場合、処理はステップ９０８に戻る。
【００５０】
次にステップ９１０について説明する。ステップ９１０において、冷蔵庫１００は急冷機能を完了する。具体的に説明すると、冷蔵庫１００は急冷ファン３１６の回転を停止し、更に急冷機能が完了したことを示す音声メッセージや所定のメロディーを流すことで急冷機能が完了したことをユーザに通知する。このとき冷蔵庫１００は、冷却ファン３０４の回転数を通常の回転数に戻し、冷蔵室ダンパと切替室ダンパと野菜室ダンパとの制御を通常の制御に戻し、圧縮機３０１の回転数を通常の回転数に戻す。
【００５１】
次にステップ９１１について説明する。ステップ９１１において、冷蔵庫１００は急冷機能を中止する。具体的に説明すると、冷蔵庫１００は急冷ファン３１６の回転を停止し、更に急冷機能が中止されたことを示す音声メッセージを流すことで急冷機能が中止されたことをユーザに通知する。また、冷蔵庫１００は、冷却ファン３０４の回転数を通常の回転数に戻し、冷蔵室ダンパと切替室ダンパと野菜室ダンパとの制御を通常の制御に戻し、圧縮機３０１の回転数を通常の回転数に戻す。
【００５２】
以上の説明の通り、急冷機能においてユーザが「冷ます」を指定した場合、急冷ファン３１６の動作は回転、停止、回転の順番で切り替わる。即ち、「冷ます」は急冷機能が終了するまでに急冷ファン３１６が停止する期間が発生するモードであり、急冷ファン３１
６が停止する期間を発生させることで急冷機能の対象の食品が過度に冷却されることを防止できる。なお、Ｔ１とＴ２の値は、「０＜Ｔ１＜Ｔ２＜ユーザによって設定された急冷時間」を満たす範囲で任意の値を設定可能である。
【００５３】
また、急冷機能においてユーザが「急冷」又は「急凍」を指定した場合、急冷ファン３１６は停止することなく回転を継続する。即ち、「急冷」と「急凍」は急冷機能が終了するまでに急冷ファン３１６が回転を継続するモードであり、食品の冷却を促進できる。
（実施形態３）
実施形態１、及び、実施形態２で説明した処理の変形例を説明する。急冷機能の実行中に上段冷凍室２０３の扉が開けられると、急冷ファン３１６の回転音が冷蔵庫１００の外部に漏れやすくなる。そこで、急冷機能の実行中に上段冷凍室２０３の扉が開けられた場合に、冷蔵庫１００は急冷ファン３１６の回転を一時的に停止しても良い。これにより、上段冷凍室２０３の扉が開けられたことが原因で急冷ファン３１６の回転音が冷蔵庫１００の外部に漏れることを防止できる。そして上段冷凍室２０３の扉が再度閉じられた場合、冷蔵庫１００は、一時的に停止していた急冷ファン３１６の回転を再開する。
【００５４】
また、上段冷凍室２０３の扉に限らず、冷蔵室２０１の扉、製氷室２０２の扉、下段冷凍室２０４の扉、野菜室２０５の扉のいずれかが開けられた場合にも、冷蔵庫１００は急冷ファン３１６の回転を一時的に停止しても良い。これにより、上段冷凍室２０３の扉が開けられたことが原因で急冷ファン３１６の回転音が冷蔵庫１００の外部に漏れることを防止できる。これらの扉が再度閉じられた場合、冷蔵庫１００は、一時的に停止していた急冷ファン３１６の回転を再開する。
【００５５】
また、急冷機能の実行中に冷蔵室ダンパと切替室ダンパと野菜室ダンパとがすべて閉じられているため、冷蔵室２０１、切替室３１０、野菜室２０５の温度が高くなってしまう場合がある。そこで各貯蔵室の温度センサの検知結果から冷蔵室２０１、切替室３１０、野菜室２０５のいずれかの温度が閾値より高くなったことを検知した場合に、冷蔵庫１００は、その貯蔵室に対応するダンパを開け、冷却ファン３０４の回転数を通常の回転数に戻しても良い。これにより、急冷機能の実行中に貯蔵室の温度が上昇し過ぎることを防止できる。そして冷蔵庫１００は、貯蔵室の温度が低下した場合に、その貯蔵室に対応するダンパを再び閉じる、あるいは、その貯蔵室に対応するダンパを再び閉じたうえで冷却ファン３０４の回転数を通常よりも少なくする。
【符号の説明】
【００５６】
１００  冷蔵庫
２０３  上段冷凍室
３１５  冷気風路
３１６  急冷ファン
６００  操作パネル
【図１】
2020125883.tif 000003
【図２】
2020125883.tif 000004
【図３】
2020125883.tif 000005
【図４】
2020125883.tif 000006
【図５】
2020125883.tif 000007
【図６】
2020125883.tif 000008
【図７】
2020125883.tif 000009
【図８】
2020125883.tif 000010
【図９】
2020125883.tif 000011